(57)【要約】      （修正有）【課題】メガネのフロント部正面に跳ね上げフロント部が取付けられ、又前屈みする跳ね上げ式メガネフレームを提供する。【解決手段】跳ね上げフロント部の両側には概略Ｌ形アーム６取付け、該Ｌ形アーム６の先端をフロント部の背面に固定した軸受けに軸支する。Ｌ形アーム６の先端外周には係合溝を形成し、該係合溝には軸受けにバネ力を付勢したボール１７を係合し、上方へ跳ね上げることが出来ると共に下方へ屈曲して前屈み状態に構成する。【選択図】図４
0003150011.tif 000002
【実用新案登録請求の範囲】
【請求項１】
メガネのフロント部正面に跳ね上げフロント部が取付けられる跳ね上げ式メガネフレームにおいて、跳ね上げフロント部の両側には概略Ｌ形アームを取付け、該Ｌ形アームの先端をフロント部の背面に固定した軸受けに軸支し、そして、Ｌ形アームの先端外周には係合溝を形成し、該係合溝には軸受けにバネ力を付勢したボール又はピン先端を係合し、上方へ跳ね上げることが出来ると共に下方へ屈曲して前屈み状態にすることを特徴とする跳ね上げ式メガネフレーム。
【請求項２】
上記軸受けは所定の間隔を隔てて起立した両軸板にてＬ形アーム先端を挟み込み、該軸受けの下方に取付けたコイルスプリングによってボール又はピンにバネ力を付勢した請求項１記載の跳ね上げ式メガネフレーム。
【考案の詳細な説明】
【技術分野】
【０００１】
本考案はフロント部を跳ね上げることが出来る跳ね上げ式メガネフレームに関するものである。
【背景技術】
【０００２】
跳ね上げ式メガネフレームとはフロントフレームが上・下に開閉するように構成したフレームである。この種のメガネフレームは従来から周知であり、例えば近視用メガネにサングラスを取付けて跳ね上げ式としたり、老眼鏡を跳ね上げ式としたものが多用されている。すなわちフロントフレームを二重構造として構成したものであり、表側のフロントフレームを開閉式としている。
【０００３】
ところで、メガネフレームはフロント部の両側にツルが取付けられ、該ツルは折畳み出来るように継手構造を備えている。該継手構造には色々あるが、一般的には蝶番継手が用いられており、メガネを外すときにはツルは折畳まれる。そして、メガネを掛ける場合には、ツルを開いて先端に挿着したモダンを耳に係止することが出来る。
【０００４】
両ツルはフロント部の両側から後方へ延びているが、フロント部が置かれる面に対して垂直方向ではなく、多少傾斜している。すなわち、フロント部とツルの交差角θは９０°より多少小さく成っている。これは、毎日の生活において人の視線は水平より僅かに下方を向いている為であり、この視線の角度に合わされる。
【０００５】
ところが、人が新聞や雑誌を読む場合には、視線がさらに下方を向くことから、フロント部が通常支えられる傾斜では見づらい場合が多い。そこで、老眼鏡を掛ける必要がある年寄りは、新聞・雑誌を読む場合にツル先端の耳掛け部(モダン)の位置を上げることでフロント部の傾斜角を大きくして見やすくしている。特に、遠近両用レンズを装着しているメガネを掛けている場合には、その効果が大きい。
【０００６】
このことは、従来の跳ね上げ式メガネの場合も同じであり、遠くを見るときには跳ね上げフロント部を上方へ跳ね上げることが出来るが、新聞や雑誌を読む場合には該跳ね上げフロント部に傾斜角を大きくしなくてはならない。
【考案の開示】
【考案が解決しようとする課題】
【０００７】
このように、フロント部を跳ね上げることが出来る跳ね上げ式メガネフレームには上記のごとき問題がある。本考案が解決しようとする課題はこの問題点であり、遠くを見るときには跳ね上げフロント部を上方へ跳ね上げることが出来ると共に、新聞や雑誌を読むときに該跳ね上げフロント部が前屈み状態に傾斜することが出来る跳ね上げ式メガネフレームを提供する。
【課題を解決するための手段】
【０００８】
本考案に係る跳ね上げ式メガネフレームは、跳ね上げフロント部が上方へ跳ね上げることが出来、しかも下方へ前屈み状態に屈曲することが出来る構造と成っている。跳ね上げフロント部はレンズが嵌るリムを有し、両リムは連結部材を介して連結され、そして跳ね上げフロント部の両側には概略Ｌ形に屈曲したアームを設けている。ここで、レンズが取付けられる環状リムに代わって、レンズの上側半分を拘束するハーフリムとレンズの下側を保持する高張力糸の組み合わせで構成する場合、又はリムを用いることなく両レンズを連結部材にて直接ネジ止めした構造とする場合もある。
【０００９】
そして、該跳ね上げフロント部のＬ形アームはフロント部の両側に軸支され、跳ね上げフロント部はＬ形アーム先端を中心として旋回することが出来る。すなわち、上方へ跳ね上げられる。又、下方へ前屈み状態に屈曲することも出来る。Ｌ形アーム先端であって軸穴を中心とした所定の半径を有す外周面には、係合溝が複数箇所に設けられ、フロント部側にバネ力を付勢して取付けたボール又はピン先端が係合溝に係合することが出来る。
【００１０】
ボール又はピン先端が係合溝に嵌ることで、跳ね上げフロント部は所定の位置で停止する。そして、フロント部の両側にはヨロイが設けられ、該ヨロイには蝶番などの継手を介してツルが折畳み出来るように取付けられている。ここで、フロント部の形態は湾曲した１本の線材で構成する場合、又はリムを設けてレンズが嵌る場合があり、中央部には鼻に当って支持する為の鼻当てパットが取付けられる。
【考案の効果】
【００１１】
本考案に係る跳ね上げ式メガネフレームは、跳ね上げフロント部を上方へ跳ね上げることが出来る。従って、例えば跳ね上げフロント部が老眼鏡と成っている場合には近くはよく見え、跳ね上げフロント部を跳ね上げることで遠くも見易くなる。上方へ跳ね上げられた跳ね上げフロント部は落下することなく、所定の位置で停止する。すなわち、Ｌ形アーム先端外周に形成した係合溝にバネ力を付勢したボール又はピン先端が係合する。
【００１２】
一方、本考案の跳ね上げフロント部は上方へ跳ね上げるだけでなく、下方へ屈曲して前屈みすることも出来る。従って、新聞や雑誌を読むとき、視線が下方へ向くが、跳ね上げフロント部を前屈み状態に屈曲することで読み易くなる。
【実施例】
【００１３】
図１は本考案に係る跳ね上げ式メガネフレームを示す実施例であり、同図の１は跳ね上げフロント部、２はフロント部のワタリ、３はツルを表している。跳ね上げフロント部１は両リム４，４が連結部材５を介して左右対称に連結され、リム４，４の外側にはＬ形アーム６，６が取付けられている。そして、このＬ形アーム６，６の先端がフロント部７の両側に軸支されている。
【００１４】
該フロント部７の両側にはヨロイ８，８が取付けられ、該ヨロイ８，８には蝶番９，９を介してツル３，３が折畳み出来るように連結している。図２は跳ね上げフロント部１を取外したメガネフレームであり、フロント部７は滑らかに湾曲したワタリ２の中央部に脚１０，１０をロウ付けし、そして鼻当てパット１１，１１を脚先端に取付けている。
【００１５】
上記ヨロイ８，８の背後には軸受け１２，１２を取着している。該軸受け１２は所定の間隔を隔てて起立した２枚の軸板１３ａ，１３ｂを有し、跳ね上げフロント部１の両側に設けているＬ形アーム６は両軸板１３ａ，１３ｂに挟まれ、軸ピンによって軸支される。そこで、跳ね上げフロント部１は軸ピンを中心として揺動することで上方へ跳ね上げられる。
【００１６】
図３は跳ね上げフロント部１を示す実施例である。前記図１においても説明しているが、両側にはＬ形アーム６，６が取付けられ、Ｌ形アーム６，６の先端には軸穴１４，１４が貫通している。この軸穴１４に軸受け１２を構成している軸板１３ａ，１３ｂに取着した軸ピンが嵌って軸支される。
【００１７】
図４は跳ね上げフロント部１の軸支構造を示している詳細図である。跳ね上げフロント部１の両側に取付けたＬ形アーム６は軸板１３ａ，１３ｂに挟持されると共に軸ピン１５によって軸支されている。そして、ヨロイ８に取付けたコイルスプリング１８のバネ力がボール１７を介してＬ形アーム６の先端外周に付勢している。
【００１８】
図５はＬ形アーム６の具体例を単独で示している。Ｌ形アーム６の先端には軸穴１４が貫通して設けられ、そして、この軸穴１４を中心として外周には係合溝１６ａ，１６ｂ，１６ｃが形成されている。前記図４に示している跳ね上げフロント部１の場合、ボール１７は係合溝１６ｂに係合している。
【００１９】
図６は跳ね上げフロント部１を上方へ跳ね上げた場合と前屈みした場合を表している。跳ね上げた場合にはボール１７が係合溝１６ａに係合し、又前屈み状態ではボール１７が係合溝１６ｃに係合する。そして、該ボール１７はこれら各係合溝１６ａ，１６ｂ，１６ｃに係合すると共にコイルスプリング１８のバネ力が付勢されることで、跳ね上げフロント部１は定位置に安定して保持される。
【図面の簡単な説明】
【００２０】
【図１】本考案の跳ね上げ式メガネフレームを示す実施例。
【図２】跳ね上げ式メガネフレームのフロント部の実施例。
【図３】跳ね上げフロント部の実施例。
【図４】跳ね上げフロント部の軸支構造。
【図５】跳ね上げフロント部の両側に取付けられるＬ形アーム。
【図６】跳ね上げフロント部が跳ね上げられた場合と前屈みの状態。
【符号の説明】
【００２１】
１  跳ね上げフロント部
２  ワタリ
３  ツル
４  リム
５  連結部材
６  Ｌ形アーム
７  フロント部
８  ヨロイ
９  蝶番
10  脚
11  鼻当てパット
12  軸受け
13  軸板
14  軸穴
15  軸ピン
16  係合溝
17  ボール
18  コイルスプリング
【図１】
0003150011.tif 000003
【図２】
0003150011.tif 000004
【図３】
0003150011.tif 000005
【図４】
0003150011.tif 000006
【図５】
0003150011.tif 000007
【図６】
0003150011.tif 000008